(57)【特許請求の範囲】
【請求項１】
売上金を回収する売上回収取引を実行する現金入出金機において、
前記売上金を含む現金が出金可能な状態で収納される出金用現金収納部と、
前記売上金として装置から取り出される現金を内部に収納する回収庫と、
前記売上金として前記出金用現金収納部から前記回収庫に移動させる現金の金額を売上移動金額とし、前記売上回収取引時に、前記売上移動金額の金種毎の枚数を指定させる入力画像と、操作者の売上金回収操作を誘導する誘導画像とを、入力画面として、表示部に表示させるとともに、前記入力画面で指定された金種毎の枚数の現金を、前記出金用現金収納部から前記回収庫に移動させることにより、前記売上金を回収する取引実行部とを有し、
前記取引実行部は、リジェクトされた現金の発生により、指定された枚数分を回収できない金種の現金が発生した場合に、前記入力画面を前記表示部に再度表示させて、前記操作者に、リジェクトされた現金の金種以外の、不足金額分に相当する他金種の現金の枚数を指定させることによって、前記他金種の現金で不足金額分の前記売上金を回収する
ことを特徴とする現金入出金機。
【請求項２】
請求項１に記載の現金入出金機において、
前記入力画面は、前記出金用現金収納部に収納された現金の金種別の有高を表示するための金種別装置内有高の表示欄と、前記売上移動金額として指定することが可能な現金の金種別の枚数を入力するための売上移動金額の金種別枚数の入力欄とを含んでおり、
前記売上移動金額の金種別枚数の入力欄は、前記金種別装置内有高の表示欄に表示された各金種の値を上限値とし、それ以下の値を入力することができる設定になっている
ことを特徴とする現金入出金機。
【請求項３】
請求項１又は請求項２に記載の現金入出金機において、
前記取引実行部は、回収された前記売上金の抜き取り操作を操作者に要請する誘導画面を前記表示部に表示させる
ことを特徴とする現金入出金機。
【請求項４】
売上金を含む現金が出金可能な状態で収納される出金用現金収納部と、前記売上金として装置から取り出される現金を内部に収納する回収庫とを有し、かつ、前記売上金を回収する売上回収取引を実行する現金入出金機を制御するプログラムであって、
前記現金入出金機の制御部に、
前記売上金として前記出金用現金収納部から前記回収庫に移動させる現金の金額を売上移動金額とし、前記売上回収取引時に、前記売上移動金額の金種毎の枚数を指定させる入力画像と、操作者の売上金回収操作を誘導する誘導画像とを、入力画面として、表示部に表示させる売上金回収操作誘導工程と、
前記売上金回収操作誘導工程で前記入力画面が表示された後に、入力部を介して指定された金種毎の枚数の現金を、前記出金用現金収納部から前記回収庫に移動させることにより、前記売上金を回収する売上金回収実行工程とを実行させ、
前記売上金回収実行工程は、リジェクトされた現金の発生により、指定された枚数分を回収できない金種の現金が発生した場合に、前記現金入出金機の制御部に、前記売上金回収操作誘導工程を再度実行させて、前記操作者に、リジェクトされた現金以外の、不足金額分に相当する他金種の現金の枚数を指定させ、その後に、前記他金種の現金で不足金額分の前記売上金を回収する工程を含む
ことを特徴とするプログラム。
【請求項５】
請求項４に記載のプログラムにおいて、
前記売上金回収操作誘導工程で、前記現金入出金機の制御部に、前記入力画面として、前記出金用現金収納部に収納された現金の金種別の有高を表示するための金種別装置内有高の表示欄と、前記売上移動金額として指定することが可能な現金の金種別の枚数を入力するための売上移動金額の金種別枚数の入力欄とを含む画面で、かつ、前記売上移動金額の金種別枚数の入力欄が、前記金種別装置内有高の表示欄に表示された各金種の値を上限値とし、それ以下の値を入力することができる設定になっている画面を、前記表示部に表示させる
ことを特徴とするプログラム。
【請求項６】
請求項に４又は請求項５記載のプログラムにおいて、
さらに、前記現金入出金機の制御部に、回収された前記売上金の抜き取り操作を操作者に要請する誘導画面を前記表示部に表示させる売上金抜取操作誘導工程を実行させる
ことを特徴とするプログラム。
【発明の詳細な説明】
【技術分野】
【０００１】
本発明は、百貨店や、スーパーマーケット、コンビニエンスストア等の小売業の店舗に設置され、釣銭出金や、売上入金、売上回収等の取引を行う現金入出金機に関し、特に、優先順位の低い金種の現金が装置の内部に大量に溜まるのを抑制する現金入出金機に関する。また、本発明は、当該現金入出金機を制御するプログラムに関する。
【背景技術】
【０００２】
従来、百貨店やスーパーマーケット、コンビニエンスストア等の小売業の多くの店舗には、釣銭準備金として使用される現金（紙幣及び硬貨）を出金したり、又は、店舗での売上金が入金されたりする現金入出金機（以下、「装置」と称する場合もある）が設置されている（例えば、特許文献１参照）。
【０００３】
この現金入出金機は、「釣銭出金」や、「売上入金」、「売上回収」等の、様々な取引機能を有している。
「釣銭出金」取引は、釣銭準備金を出金する取引である。なお、「釣銭準備金」は、店舗に設置されたレジスタに釣銭として予め用意される現金である。
【０００４】
「売上入金」取引は、レジスタから回収された売上金を装置に入金する取引である。「売上入金」取引は、操作者が売上金を投入口に投入し、装置がその売上金を金種別にリサイクルカセット又は出金ホッパに収納することによって、行われる。なお、「リサイクルカセット」は、釣銭準備金として使用する紙幣を収納する出金用現金収納部である。また、「出金ホッパ」は、釣銭準備金として使用する硬貨を収納する出金用現金収納部である。
【０００５】
「売上回収」取引は、売上金を回収する取引である。「売上回収」取引は、売上額と既に売上回収カセットに収納された現金の金額との差分を売上移動金額とし、リサイクルカセット及び出金ホッパに収納されている現金の中からその売上移動金額分の現金を売上回収カセット及び硬貨回収箱に移動させることによって、行われる。なお、「売上回収カセット」は、売上金の回収金として装置から回収する（抜き取る）紙幣を収納する回収庫である。また、「硬貨回収箱」は、売上金の回収金として装置から回収する（抜き取る）硬貨を収納する回収庫である。
【０００６】
従来の現金入出金機は、売上回収取引時に、後記する課題があった。そこで、ここでは、「売上回収」取引と、その「売上回収」取引の前提となる「売上入金」取引とについて詳細に説明する。
【０００７】
操作者は、各取引に共通して、予め登録されたＩＤカードやレジカードを現金入出金機にリードさせて、さらに、場合によってはパスワードを入力させて、操作者の正当性を現金入出金機に認証させる。現金入出金機は、操作者の正当性を認証すると、メニュー画面を表示部に表示する。そのメニュー画面には、各種の取引の実行を指示するための複数の取引ボタンが選択可能に表示されている。現金入出金機は、操作者がメニュー画面に表示された取引ボタンの中から所望の取引ボタンを選択することによって、選択された取引を実行する。
【０００８】
（「売上入金」取引）
現金入出金機は、操作者がメニュー画面に表示された取引ボタンの中から「売上入金」ボタンを選択した場合に、「売上入金」取引を実行する。
【０００９】
この場合に、現金入出金機は、売上入金取引用の表示画面を表示部に表示する。その売上入金取引用の表示画面は、レジスタから回収された売上金（厳密には、（売上金＋釣銭準備金）分の現金）の投入口への投入を操作者に要請する内容になっている。
【００１０】
現金入出金機は、操作者がレジスタから回収された売上金（厳密には、（売上金＋釣銭準備金）分の現金）を投入口に投入すると、計数を開始し、鑑別部によって正常と判別された現金を一時保留部に集積する。このとき、現金入出金機は、鑑別部によってリジェクトされた現金があれば、リジェクトされた現金を所定の場所から操作者に返却する。
【００１１】
現金入出金機は、正常と判別された現金の合計金額を表示部に表示し、操作者が確認すると、一時保留部に集積された現金を一時保留部から該当する金種のリサイクルカセット又は出金ホッパに移動させて（搬送して）、金種別に所定のリサイクルカセット又は出金ホッパに収納する。「売上入金」取引は、一時保留部に集積されていた現金が所定のリサイクルカセット又は出金ホッパに収納された時点で、終了となる。
【００１２】
なお、収納時点で、売上が発生している場合に、現金入出金機は、（入金合計額−出金合計額）を売上額とし、売上額の範囲内で、紙幣のみを、高額紙幣から順番に、リサイクルカセットから売上回収カセットに移動させて（搬送して）、売上回収カセットに収納する。
【００１３】
（「売上回収」取引）
現金入出金機は、操作者がメニュー画面に表示された取引ボタンの中から「売上回収」ボタンを選択した場合に、「売上回収」取引を実行する。
【００１４】
この場合に、現金入出金機は、売上回収取引用の表示画面を表示部に表示する。その売上回収取引用の表示画面は、売上額と既に売上回収カセットに収納された現金の金額との差分を売上移動金額とし、リサイクルカセット及び出金ホッパに収納された現金の中から、その売上移動金額分の現金を回収庫（売上回収カセット及び硬貨回収庫）に移動させることを操作者に通知する内容となっている。
【００１５】
現金入出金機は、操作者がその表示画面の内容を確認すると、リサイクルカセット及び出金ホッパに収納されている現金の中から、高額紙幣を優先して、売上移動金額（すなわち、売上額と既に売上回収カセットに収納された現金の金額との差分を売上移動金額）分の現金を回収庫に移動させる。これにより、現金入出金機は、売上金の回収庫への移動を行う。
【００１６】
現金入出金機は、売上金の移動が完了したら、装置の筐体の前面側に設けられたフロント扉のロックを開錠し、売上回収カセットの脱着及び硬貨回収庫からの硬貨の回収を操作者に要請する表示画面を表示部に表示する。「売上回収」取引は、操作者が、装置から売上回収カセットを脱着して売上金としての紙幣を回収し、空の売上回収カセットを装置に装着するとともに、さらに、硬貨回収庫を脱着して売上金としての硬貨を硬貨回収庫から袋に詰めかえて回収し、空になった硬貨回収庫を装置に装着した時点で、終了となる。
【００１７】
この後、操作者は、脱着した売上回収カセットと硬貨が詰められた袋とを警備会社の警送員に引き渡す。警送員は、売上回収カセットと袋とを金融機関（ただし、警備会社の場合もある）に移送し、金融機関で売上回収カセットと袋とに収納された現金を売上金として入金処理する。
【先行技術文献】
【特許文献】
【００１８】
【特許文献１】特開２００８−０７７１９４号公報
【発明の概要】
【発明が解決しようとする課題】
【００１９】
従来の現金入出金機は、以下に説明するように、優先順位の低い金種の現金が装置の内部に大量に溜まることにより、様々な不具合が発生する場合がある、という課題があった。
【００２０】
従来の現金入出金機は、売上回収取引時に、自動的に、高額紙幣を優先して回収する。すなわち、従来の現金入出金機は、リサイクルカセット及び出金ホッパに収納されている現金の中から、高額紙幣を優先して、売上移動金額分の現金を売上回収カセットに移動させる。
【００２１】
そのため、従来の現金入出金機は、売上回収取引時に、高額紙幣ばかりを回収し、回収されなかった優先順位の低い金種の現金が、装置の内部に大量に溜まる場合がある。すなわち、従来の現金入出金機は、売上回収取引時に、高額紙幣ばかりをリサイクルカセットから売上回収カセットに移動させ、移動されなかった優先順位の低い金種の現金が、装置の内部（具体的には、リサイクルカセットや出金ホッパの内部）に大量に溜まる場合がある。
【００２２】
これにより、従来の現金入出金機は、例えば、以下のような不具合が発生することがある。
（１）従来の現金入出金機は、操作者の望む回収を行うことができない場合がある。
例えば、従来の現金入出金機は、売上回収取引時に、一万円券等の高額紙幣を優先して売上回収カセットに移動させる。しかしながら、レジスタから回収された売上金は、優先順位の低い金種の現金（例えば、千円券や、硬貨等）を大量に含む場合がある。
【００２３】
この場合に、操作者としては、その優先順位の低い金種の現金を優先的に回収させる（すなわち、リサイクルカセット又は出金ホッパから回収庫に移動させる）ことを望む。しかしながら、従来の現金入出金機は、売上金として回収する現金の金種を自由に指定することができないため、そのような回収を行うことができない。
【００２４】
（２）従来の現金入出金機は、紙幣のリジェクトの発生により、操作者に負担を強いるとともに、装置に対する操作者の信頼性を損ねる場合がある。
例えば、従来の現金入出金機は、紙幣の汚損等により、紙幣のリジェクトが定常的に発生する。これにより、従来の現金入出金機は、ハードウェアが故障してないのに、障害の発生状態となる場合がある。
【００２５】
例えば、従来の現金入出金機は、売上回収取引で、リサイクルカセットに収納された一万円券等の高額紙幣の全枚数を回収する場合（すなわち、リサイクルカセットから売上回収カセットに移動させる場合）に、その処理の途中で、紙幣のリジェクトが発生すると、予定枚数分の紙幣を回収すること（売上回収カセットに移動させること）ができない。そのため、この場合に、従来の現金入出金機は、ハードウェアが故障してないのに、紙幣エンドの障害が発生した状態となる。
【００２６】
また、例えば、従来の現金入出金機は、１００枚の一万円券、１００枚の五千円券、及び、１００枚の千円券がリサイクルカセットに収納されており、１０８万６千円の売上金を回収する場合に、１００枚の一万円券、１７枚の五千円券、及び、１枚の千円券をリサイクルカセットから売上回収カセットに移動させる。この場合に、従来の現金入出金機は、その処理の途中で、仮に、１枚の一万円券のリジェクトが発生すると、１０８万６千円の売上金を回収すること（売上回収カセットに移動させること）ができない。そのため、この場合も、従来の現金入出金機は、ハードウェアが故障してないのに、紙幣エンドの障害が発生した状態となる。
【００２７】
従来の現金入出金機は、紙幣エンドの障害が発生した場合に、復旧ボタンの押下を操作者に要請する。そして、従来の現金入出金機は、操作者が復旧ボタンを押下すると、復旧処理を行う。したがって、従来の現金入出金機は、売上金の不足分を移動させるための売上回収取引を、再度、行う必要がある。つまり、従来の現金入出金機は、この場合に、売上回収取引を２回実行する必要がある。
【００２８】
したがって、従来の現金入出金機は、紙幣エンドの障害が発生した場合に、復旧処理を行うための煩わしい手間がかかるとともに、復旧処理及び２回目の売上回収取引を行うための時間がかかるため、操作者に負担を強いる。また、従来の現金入出金機は、ハードウェアが故障してないのに、紙幣エンドの障害が発生した状態となるため、あたかも装置が故障又は誤動作したかのような誤解を操作者に与えて、装置に対する操作者の信頼性を損ねる可能性ある。
【００２９】
本発明は、前記した課題を解決するためになされたものであり、優先順位の低い金種の現金が装置の内部に大量に溜まるのを抑制する現金入出金機、及び、当該現金入出金機を制御するプログラムを提供することを主な目的とする。
【課題を解決するための手段】
【００３０】
前記目的を達成するため、第１発明は、売上金を回収する売上回収取引を実行する現金入出金機であって、前記売上金を含む現金が出金可能な状態で収納される出金用現金収納部と、前記売上金として装置から取り出される現金を内部に収納する回収庫と、前記売上金として前記出金用現金収納部から前記回収庫に移動させる現金の金額を売上移動金額とし、前記売上回収取引時に、前記売上移動金額の金種毎の枚数を指定させる入力画像と、操作者の売上金回収操作を誘導する誘導画像とを、入力画面として、表示部に表示させるとともに、前記入力画面で指定された金種毎の枚数の現金を、前記出金用現金収納部から前記回収庫に移動させることにより、前記売上金を回収する取引実行部とを有し、前記取引実行部は、リジェクトされた現金の発生により、指定された枚数分を回収できない金種の現金が発生した場合に、前記入力画面を前記表示部に再度表示させて、前記操作者に、リジェクトされた現金の金種以外の、不足金額分に相当する他金種の現金の枚数を指定させることによって、前記他金種の現金で不足金額分の前記売上金を回収する構成とする。
【００３１】
この現金入出金機は、売上金として出金用現金収納部から回収庫に移動させる現金の金額を売上移動金額とし、売上回収取引時に、売上移動金額の枚数を金種毎に自由に指定することができる。そのため、この現金入出金機は、優先順位の低い金種の現金が、回収庫に移動されずに、装置の内部に大量に溜まるのを抑制することができる。
【００３２】
また、第２発明は、売上金を含む現金が出金可能な状態で収納される出金用現金収納部と、前記売上金として装置から取り出される現金を内部に収納する回収庫とを有し、かつ、前記売上金を回収する売上回収取引を実行する現金入出金機を制御するプログラムであって、前記現金入出金機の制御部に、前記売上金として前記出金用現金収納部から前記回収庫に移動させる現金の金額を売上移動金額とし、前記売上回収取引時に、前記売上移動金額の金種毎の枚数を指定させる入力画像と、操作者の売上金回収操作を誘導する誘導画像とを、入力画面として、表示部に表示させる売上金回収操作誘導工程と、前記売上金回収操作誘導工程で前記入力画面が表示された後に、入力部を介して指定された金種毎の枚数の現金を、前記出金用現金収納部から前記回収庫に移動させることにより、前記売上金を回収する売上金回収実行工程とを実行させ、前記売上金回収実行工程は、リジェクトされた現金の発生により、指定された枚数分を回収できない金種の現金が発生した場合に、前記現金入出金機の制御部に、前記売上金回収操作誘導工程を再度実行させて、前記操作者に、リジェクトされた現金以外の、不足金額分に相当する他金種の現金の枚数を指定させ、その後に、前記他金種の現金で不足金額分の前記売上金を回収する工程を含む構成とする。
このプログラムは、第１発明に係る現金入出金機を制御することができる。
【発明の効果】
【００３３】
本発明によれば、優先順位の低い金種の現金が装置の内部に大量に溜まるのを抑制することができる。
【図面の簡単な説明】
【００３４】
【図１】実施形態１に係る現金入出金機の構成図である。
【図２】実施形態１に係る現金入出金機の機能ブロック図である。
【図３】実施形態１に係る現金入出金機の動作を示すフローチャート（１）である。
【図４Ａ】実施形態１に係る現金入出金機の動作を示すフローチャート（２）である。
【図４Ｂ】実施形態１に係る現金入出金機の動作を示すフローチャート（３）である。
【図５】実施形態１に係る現金入出金機の動作を示すフローチャート（４）である。
【図６】実施形態１で用いるメニュー画面の一例を示す図である。
【図７Ａ】実施形態１で用いる表示画面の一例を示す図（１）である。
【図７Ｂ】実施形態１で用いる表示画面の一例を示す図（２）である。
【図７Ｃ】実施形態１で用いる表示画面の一例を示す図（３）である。
【図７Ｄ】実施形態１で用いる表示画面の一例を示す図（４）である。
【図７Ｅ】実施形態１で用いる表示画面の一例を示す図（５）である。
【図７Ｆ】実施形態１で用いる表示画面の一例を示す図（６）である。
【図７Ｇ】実施形態１で用いる表示画面の一例を示す図（７）である。
【図７Ｈ】実施形態１で用いる表示画面の一例を示す図（８）である。
【図７Ｉ】実施形態１で用いる表示画面の一例を示す図（９）である。
【図７Ｊ】実施形態１で用いる表示画面の一例を示す図（１０）である。
【図８Ａ】実施形態１で用いる紙幣エンド障害画面の一例を示す図である。
【図８Ｂ】実施形態１で用いる復旧中画面の一例を示す図である。
【図９Ａ】実施形態１で用いる表示画面の一例を示す図（１）である。
【図９Ｂ】実施形態１で用いる表示画面の一例を示す図（２）である。
【図９Ｃ】実施形態１で用いる表示画面の一例を示す図（３）である。
【図９Ｄ】実施形態１で用いる表示画面の一例を示す図（４）である。
【図９Ｅ】実施形態１で用いる表示画面の一例を示す図（５）である。
【図９Ｆ】実施形態１で用いる表示画面の一例を示す図（６）である。
【図１０】実施形態２に係る現金入出金機の動作を示すフローチャート（１）である。
【図１１Ａ】実施形態２に係る現金入出金機の動作を示すフローチャート（２）である。
【図１１Ｂ】実施形態２に係る現金入出金機の動作を示すフローチャート（３）である。
【図１２】実施形態２で用いる紙幣エンドワーニング画面の一例を示す図である。
【図１３Ａ】実施形態２で用いる表示画面の一例を示す図（１）である。
【図１３Ｂ】実施形態２で用いる表示画面の一例を示す図（２）である。
【発明を実施するための形態】
【００３５】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００３６】
［実施形態１］
＜現金入出金機の構成＞
本実施形態１に係る現金入出金機１は、後記する売上回収取引時に、操作者が後記する売上移動金額（すなわち、売上金として後記するリサイクルカセット１４，１５，１６又は出金ホッパ２４から後記する回収庫１７，２７に移動させる現金の金額）を金種毎に自由に指定することができる構成になっている。以下、図１及び図２を参照して、本実施形態１に係る現金入出金機１の構成につき説明する。なお、図１は、実施形態１に係る現金入出金機の構成図である。図２は、実施形態１に係る現金入出金機の機能ブロック図である。
【００３７】
本実施形態１に係る現金入出金機１は、現金（紙幣及び硬貨）を管理するための装置である。以下、現金入出金機１を「装置」と称する場合もある。現金入出金機１は、百貨店やスーパーマーケット、コンビニエンスストア等の小売業の多くの店舗に設置されている。
【００３８】
現金入出金機１は、「釣銭出金」や、「売上入金」、「計数」、「補充」、「抜き取り」、「精算集計」、「売上回収」等の、様々な取引機能を有している。
「釣銭出金」取引は、釣銭準備金を出金する取引である。
「売上入金」取引は、レジスタから回収された売上金を装置に入金する取引である。
【００３９】
「計数」取引は、投入口に投入された現金を計数する取引である。
「補充」取引は、釣銭準備金用の現金を装置に補充する取引である。「補充」取引は、操作者が釣銭準備金用の現金を投入口に投入し、装置がその現金を金種別にリサイクルカセット又は出金ホッパに収納することによって、行われる。
【００４０】
「抜き取り」取引は、装置の内部から現金を一時的に抜き取る取引である。「抜き取り」取引は、現金精査のために装置の内部の全ての現金を出金する場合や、入金過多により、現金がリサイクルカセット又は出金ホッパから溢れそうになっている場合に行われる。
【００４１】
「精算集計」取引は、売上額を算出する取引である。「精算集計」取引は、装置が、「売上入金」取引における入金合計額及び「売上出金」取引における出金合計額を集計し、（入金合計額−出金合計額）を売上額として算出することによって、行われる。
【００４２】
「売上回収」取引は、売上金を回収する取引である。「売上回収」取引は、売上額と既に売上回収カセットに収納された現金の金額との差分を売上移動金額とし、リサイクルカセット及び出金ホッパに収納されている現金の中からその売上移動金額分の現金を売上回収カセットに移動させることによって、行われる。
【００４３】
図１に示すように、現金入出金機１は、制御部２、記憶部３、カードリーダ部４、操作表示部５、紙幣部８ａ、及び、硬貨部８ｂを有している。
制御部２は、現金入出金機１の各部の動作を制御する機能手段である。
記憶部３は、取引の実行に用いる各種の制御プログラムやデータを格納する記憶手段である。
【００４４】
カードリーダ部４は、操作者によって所持されるカードから情報を読み取る構成要素である。カードリーダ部４は、取引開始時に、操作者によって所持されるＩＤカードやレジカード等から情報を読み取る。
操作表示部５は、操作者の操作を受け付けたり、操作に必要な様々な文字や画面を表示したりする構成要素である。ここでは、操作表示部５がタッチパネルとＬＣＤとを組み合わせた構成になっている場合を想定して説明する。
【００４５】
紙幣部８ａは、紙幣を取り扱う構成要素である。紙幣部８ａは、内部が紙幣部フロント扉９ａ（以下、単に「扉９ａ」と称する場合もある）によって封鎖されている。紙幣部８ａは、紙幣投入口１１、紙幣一時保留部１２、紙幣鑑別部１３、万円券カセット１４、五千円券カセット１５、千円券カセット１６、売上回収カセット１７、及び、リジェクト部１８を備えている。
【００４６】
紙幣投入口１１は、紙幣の投入口である。ここでは、紙幣投入口１１が、出金紙幣、入金リジェクト紙幣、及び、返却紙幣の出金口も兼ねているものとして説明する。なお、「出金紙幣」は、操作者に出金する紙幣を意味している。「入金リジェクト紙幣」は、入金取引で正券として鑑別されなかった紙幣を意味している。「返却紙幣」は、売上入金取引や計数取引で、取引が取り消された場合に返却される紙幣を意味している。
紙幣一時保留部１２は、紙幣を一時的に保留する場所である。現金入出金機１は、例えば、計数取引時や売上回収取引時に、紙幣を一時的に紙幣一時保留部１２に保留させる。
紙幣鑑別部１３は、紙幣を鑑別する構成要素である。
【００４７】
万円券カセット１４、五千円券カセット１５、及び、千円券カセット１６は、それぞれ、釣銭準備金として使用する一万円券、五千円券、及び、千円券を収納するリサイクルカセットである。万円券カセット１４、五千円券カセット１５、及び、千円券カセット１６は、それぞれ、特許請求の範囲に記載された「出金用現金収納部」に相当する。以下、万円券カセット１４、五千円券カセット１５、及び、千円券カセット１６を総称する場合に、「リサイクルカセット１４，１５，１６」と称する。
【００４８】
現金入出金機１は、運用開始前に、一万円券、五千円券、及び、千円券をそれぞれに対応するリサイクルカセット１４，１５，１６に収納する。また、現金入出金機１は、売上入金取引時に、紙幣鑑別部１３によって正常（正券）と判別された一万円券、五千円券、及び、千円券を、それぞれに対応するリサイクルカセット１４，１５，１６に収納する。そして、現金入出金機１は、釣銭出金取引時に、リサイクルカセット１４，１５，１６に収納された紙幣を釣銭準備金として出金する。
【００４９】
売上回収カセット１７は、売上金の回収金として装置から回収する（抜き取る）紙幣を収納する回収庫である。以下、売上回収カセット１７を「回収庫１７」と称する場合もある。売上回収カセット１７は、売上金を内部に収納した状態で持ち運ぶことが可能なカセットとして構成されている。現金入出金機１は、売上入金取引時や売上回収取引時に、売上金としての紙幣をリサイクルカセット１４，１５，１６から売上回収カセット１７に移動させて（搬送して）、売上回収カセット１７に収納する。
【００５０】
リジェクト部１８は、リジェクト紙幣を収納する場所である。現金入出金機１は、釣銭出金取引で紙幣をリサイクルカセットから紙幣投入口１１に移動させる際に発生したリジェクト紙幣、売上入金取引で紙幣を紙幣一時保留部１２からリサイクルカセットに移動させる（搬送する）際に発生したリジェクト紙幣、及び、売上金回収取引で紙幣をリサイクルカセットから売上回収カセット１７に移動させる際に発生したリジェクト紙幣をリジェクト部１８に集積する。
【００５１】
硬貨部８ｂは、硬貨を取り扱う構成要素である。硬貨部８ｂは、内部が硬貨部フロント扉９ｂ（以下、単に「扉９ｂ」と称する場合もある）によって封鎖されている。硬貨部８ｂは、硬貨投入口２１、硬貨一時保留部２２、硬貨鑑別部２３、出金ホッパ２４、硬貨出金箱２５、硬貨回収庫２７、及び、硬貨返却箱２８を備えている。
【００５２】
硬貨投入口２１は、硬貨の投入口である。
硬貨一時保留部２２は、計数取引時に硬貨を一時的に集積する場所である。
硬貨鑑別部２３は、硬貨を鑑別する構成要素である。
【００５３】
出金ホッパ２４は、釣銭準備金として使用する硬貨を収納する場所である。現金入出金機１は、売上入金取引時に、硬貨鑑別部２３によって正常（正常貨）と判別された硬貨を出金ホッパ２４に収納する。そして、現金入出金機１は、釣銭出金取引時に、出金ホッパ２４に収納された硬貨を釣銭準備金として出金する。
硬貨出金箱２５は、釣銭出金取引時に、出金硬貨を放出する場所である。なお、「出金硬貨」は、操作者に出金する紙幣を意味している。
【００５４】
硬貨回収庫２７は、売上金の回収金として装置から回収する（抜き取る）硬貨を収納する回収庫である。以下、硬貨回収庫２７を単に「回収庫２７」と称する場合もある。現金入出金機１は、精算集計取引時や売上回収取引に、売上金としての硬貨を出金ホッパ２４から硬貨回収庫２７に移動させて、硬貨回収庫２７に収納する。
硬貨返却箱２８は、返却硬貨を放出する場所である。なお、「返却硬貨」は、売上入金取引や計数取引で、取引が取り消された場合に返却される硬貨を意味している。
【００５５】
また、図２に示すように、現金入出金機１は、搬送部６、及び、通信部７を有している。搬送部６は、現金（紙幣及び硬貨）を各部に搬送する構成要素である。通信部７は、外部の機器（例えば、レジスタ）と通信する構成要素である。
【００５６】
現金入出金機１の制御部２は、ＣＰＵによって構成されており、記憶部３に予め格納された制御プログラム５１を実行することにより、主制御部２ａ、搬送・鑑別制御部２ｂ、入力制御部２ｃ、表示制御部２ｄ、通信制御部２ｅ、有高管理部２ｆ、取引実行部２ｇ、復旧実行部２ｈ、扉監視部２ｉ、及び、抜取監視部２ｊとして機能する。
【００５７】
主制御部２ａは、現金入出金機１の全体の動作を制御する機能手段である。
搬送・鑑別制御部２ｂは、搬送部６や、鑑別部（紙幣鑑別部１３及び硬貨鑑別部２３）等の動作を制御する機能手段である。
入力制御部２ｃは、操作表示部５での入力を検知し、入力情報を取得する機能手段である。
表示制御部２ｄは、操作表示部５の表示を制御する機能手段である。
通信制御部２ｅは、通信部７での通信を制御する機能手段である。
有高管理部２ｆは、紙幣部８ａ及び硬貨部８ｂに収納された現金の有高を管理する機能手段である。
【００５８】
取引実行部２ｇは、「釣銭出金」や、「売上入金」、「計数」、「補充」、「抜き取り」、「精算集計」、「売上回収」等の取引を実行する機能手段である。
復旧実行部２ｈは、障害発生時に復旧処理を実行する機能手段である。
扉監視部２ｉは、フロント扉（紙幣部フロント扉９ａ及び硬貨部フロント扉９ｂ（図１参照））の開閉状態を監視する機能手段である。
抜取監視部２ｊは、回収庫１７，２７の装置からの脱着及び装置への装着を監視して、操作者による売上金の抜き取りを監視する機能手段である。
【００５９】
また、現金入出金機１の記憶部３は、ＲＡＭやＲＯＭ、ＨＤＤ等によって構成されており、制御プログラム５１、画面データ５２、有高データ５３、及び、売上データ５４を格納する。
【００６０】
制御プログラム５１は、制御部２を構成するＣＰＵを、主制御部２ａ、搬送・鑑別制御部２ｂ、入力制御部２ｃ、表示制御部２ｄ、通信制御部２ｅ、有高管理部２ｆ、取引実行部２ｇ、復旧実行部２ｈ、扉監視部２ｉ、及び、抜取監視部２ｊとして機能させるプログラムである。
画面データ５２は、取引の実行時に、各種の画面（例えば、図６、図７Ａ〜図７Ｊ、図８Ａ及び図８Ｂ、並びに、図９Ａ〜図９Ｆ参照）を操作表示部５に表示させるためのデータである。
有高データ５３は、紙幣部８ａ及び硬貨部８ｂに収納された現金の有高を表すデータである。
売上データ５４は、売上額を表すデータである。売上データ５４は、現金入出金機１が通信部７を介して、各店舗での売上額を管理する上位装置（例えば、図示せぬレジスタ）と通信することによって、上位装置から取得される。
【００６１】
＜現金入出金機の動作＞
現金入出金機１は、前記した通り、「釣銭出金」や、「売上入金」、「計数」、「補充」、「抜き取り」、「精算集計」、「売上回収」等の取引機能を有している。
【００６２】
各取引は、例えば、以下のようにして行われる。
操作者は、各取引に共通して、予め登録された図示せぬＩＤカードやレジカードを現金入出金機１のカードリーダ部４（図１参照）にリードさせて、さらに、場合によってはパスワードを入力させて、操作者の正当性を現金入出金機１に認証させる。現金入出金機１は、操作者の正当性を認証すると、メニュー画面を操作表示部５に表示する。そのメニュー画面には、各種の取引の実行を指示するための複数の取引ボタンが選択可能に表示されている。現金入出金機１は、操作者がメニュー画面に表示された取引ボタンの中から所望の取引ボタンを選択することによって、選択された取引を実行する。
【００６３】
（「釣銭出金」取引）
現金入出金機１は、操作者がメニュー画面に表示された取引ボタンの中から「釣銭出金」ボタンを選択した場合に、「釣銭出金」取引を実行する。
【００６４】
この場合に、現金入出金機１は、釣銭出金取引用の表示画面を操作表示部５に表示する。ここでは、その釣銭出金取引用の表示画面には、例えば、「金種と枚数パターンの出金」や、「任意の金種と枚数を指定する出金」等の複数のサブメニューが選択可能に表示されているものとして説明する。
【００６５】
現金入出金機１は、操作者が表示画面に表示された複数のサブメニューの中から所望のサブメニューを選択すると、選択されたサブメニューに従って、リサイクルカセット１４，１５，１６及び出金ホッパ２４に収納されている現金の中から、釣銭準備金を出金する。「釣銭出金」取引は、釣銭準備金が出金された時点で、終了となる。
【００６６】
（「売上入金」取引）
現金入出金機１は、操作者がメニュー画面に表示された取引ボタンの中から「売上入金」ボタンを選択した場合に、「売上入金」取引を実行する。
【００６７】
この場合に、現金入出金機１は、売上入金取引用の表示画面を操作表示部５に表示する。ここでは、その売上入金取引用の表示画面は、レジスタから回収された売上金（厳密には、（売上金＋釣銭準備金）分の現金）の投入口１１，２１（図１参照）への投入を操作者に要請する内容になっているものとして説明する。
【００６８】
現金入出金機１は、操作者がレジスタから回収された売上金（厳密には、（売上金＋釣銭準備金）分の現金）を投入口１１，２１に投入すると、計数を開始し、鑑別部１３，２３によって正常と判別された現金を一時保留部１２，２２（図１参照）に集積する。このとき、現金入出金機１は、鑑別部１３，２３によってリジェクトされた現金があれば、リジェクトされた現金を所定の場所から操作者に返却する。なお、リジェクトされた現金を返却する場合の「所定の場所」とは、リジェクトされた現金が紙幣であれば、紙幣投入口１１となり、リジェクトされた現金が硬貨であれば、硬貨返却箱２８となる。
【００６９】
現金入出金機１は、正常と判別された現金を一時保留部１２，２２に集積すると、正常と判別された現金の合計金額通知用の表示画面を操作表示部５に表示する。ここでは、その合計金額通知用の表示画面は、正常と判別された現金の合計金額を操作者に通知する内容になっているものとして説明する。また、その合計金額通知用の表示画面は、例えば、合計金額と、操作者が画面の内容を確認した場合に押下される確認ボタンとを含む構成になっているものとして説明する。
【００７０】
現金入出金機１は、操作者が確認する（確認ボタンを押下する）と、一時保留部１２，２２に集積された現金を一時保留部１２，２２から該当する金種のリサイクルカセット１４，１５，１６又は出金ホッパ２４に移動させて（搬送して）、金種別に所定のリサイクルカセット１４，１５，１６又は出金ホッパ２４に収納する。「売上入金」取引は、一時保留部１２，２２に集積されていた現金が所定のリサイクルカセット１４，１５，１６又は出金ホッパ２４に収納された時点で、終了となる。
【００７１】
なお、ここでは、収納時点で、売上が発生している場合に、現金入出金機１は、（入金合計額−出金合計額）を売上額とし、売上額の範囲内で、紙幣のみを、高額紙幣から順番に、リサイクルカセット１４，１５，１６から売上回収カセット１７に移動させて（搬送して）、売上回収カセット１７に収納するものとして説明する。
【００７２】
（「計数」取引）
現金入出金機１は、操作者がメニュー画面に表示された取引ボタンの中から「計数」ボタンを選択した場合に、「計数」取引を実行する。
【００７３】
この場合に、現金入出金機１は、計数取引用の表示画面を操作表示部５に表示する。ここでは、その計数取引用の表示画面には、計数すべき現金の投入口への投入を操作者に要請する内容になっているものとして説明する。
【００７４】
現金入出金機１は、操作者が現金を投入口に投入すると、計数を開始し、鑑別部１３，２３によって正常と判別された現金を一時保留部１２，２２に集積する。このとき、現金入出金機１は、鑑別部１３，２３によってリジェクトされた現金があれば、リジェクトされた現金を所定の場所から操作者に返却する。
【００７５】
現金入出金機１は、正常と判別された現金を一時保留部１２，２２に集積すると、正常と判別された現金の合計金額通知用の表示画面を操作表示部５に表示する。ここでは、その合計金額通知用の表示画面は、正常と判別された現金の合計金額を操作者に通知する内容になっているものとして説明する。また、その合計金額通知用の表示画面は、例えば、合計金額と、操作者が画面の内容を確認した場合に押下される確認ボタンとを含む構成になっているものとして説明する。
【００７６】
現金入出金機１は、操作者が確認すると、一時保留部１２，２２に集積された現金を一時保留部１２，２２から所定の場所に移動させて（搬送して）、現金を所定の場所から操作者に返却する。「計数」取引は、投入口に投入された全ての現金が操作者に返却された時点で、終了となる。
【００７７】
（「補充」取引）
現金入出金機１は、操作者がメニュー画面に表示された取引ボタンの中から「補充」ボタンを選択した場合に、「補充」取引を実行する。
【００７８】
この場合に、現金入出金機１は、補充取引用の表示画面を操作表示部５に表示する。ここでは、その補充取引用の表示画面は、補充用の現金の投入口への投入を操作者に要請する内容になっているものとして説明する。
【００７９】
現金入出金機１は、操作者が現金を投入口に投入すると、計数を開始し、鑑別部１３，２３によって正常と判別された現金を一時保留部１２，２２に集積する。このとき、現金入出金機１は、鑑別部１３，２３によってリジェクトされた現金があれば、リジェクトされた現金を所定の場所から操作者に返却する。
【００８０】
現金入出金機１は、正常と判別された現金を一時保留部１２，２２に集積すると、正常と判別された現金の合計金額通知用の表示画面を操作表示部５に表示する。ここでは、その合計金額通知用の表示画面は、正常と判別された現金の合計金額を操作者に通知する内容になっているものとして説明する。また、その合計金額通知用の表示画面は、例えば、合計金額と、操作者が画面の内容を確認した場合に押下される確認ボタンとを含む構成になっているものとして説明する。
【００８１】
現金入出金機１は、操作者が確認すると、一時保留部１２，２２に集積された現金を一時保留部１２，２２から該当する金種のリサイクルカセット１４，１５，１６又は出金ホッパ２４に移動させて（搬送して）、金種別に所定のリサイクルカセット１４，１５，１６又は出金ホッパ２４に収納する。これにより、現金入出金機１は、釣銭準備金として使用される現金が補充される。「補充」取引は、一時保留部１２，２２に集積されていた現金が所定のリサイクルカセット１４，１５，１６又は出金ホッパ２４に収納された時点で、終了となる。
【００８２】
（「抜き取り」取引）
現金入出金機１は、操作者がメニュー画面に表示された取引ボタンの中から「抜き取り」ボタンを選択した場合に、「抜き取り」取引を実行する。
【００８３】
この場合に、現金入出金機１は、精査取引時に、装置の内部の全ての現金を所定の場所（ここでは、紙幣投入口１１及び硬貨出金箱２５）から出金し、また、入金過多時に、リサイクルカセット１４，１５，１６又は出金ホッパ２４から溢れそうになっている現金を所定の場所から出金して、操作者に抜き取らせる。「抜き取り」取引は、操作者が所定の場所から現金を取り出した時点で、終了となる。なお、精査取引時の現金を出金する「所定の場所」とは、現金が紙幣であれば、紙幣投入口１１となり、現金が硬貨であれば、硬貨出金箱２５となる。
【００８４】
（「精算集計」取引）
現金入出金機１は、操作者がメニュー画面に表示された取引ボタンの中から「精算集計」ボタンを選択した場合に、「精算集計」取引を実行する。
【００８５】
この場合に、現金入出金機１は、その時点での「売上入金」取引における入金合計額及び「売上出金」取引における出金合計額を集計し、（入金合計額−出金合計額）を売上額として算出する。
【００８６】
現金入出金機１は、売上額を算出すると、売上額通知用の表示画面を操作表示部５に表示する。ここでは、その売上額通知用の表示画面は、売上額を操作者に通知する内容になっているものとして説明する。また、その売上額通知用の表示画面は、例えば、売上額と確認ボタンとを含む構成になっているものとして説明する。「精算集計」取引は、操作者が売上額を確認した時点（確認ボタンを押下した時点）で、終了となる。
【００８７】
（「売上回収」取引）
現金入出金機１は、操作者がメニュー画面に表示された取引ボタンの中から「売上回収」ボタンを選択した場合に、「売上回収」取引を実行する。
【００８８】
この場合に、現金入出金機１は、売上回収取引用の表示画面を操作表示部５に表示する。ここでは、その売上回収取引用の表示画面は、売上額と既に売上回収カセット１７に収納された現金の金額との差分を売上移動金額とし、リサイクルカセット１４，１５，１６及び出金ホッパ２４に収納された現金の中から、その売上移動金額分の現金を回収庫１７，２７に移動させることを操作者に通知する内容となっているものとして説明する。また、その売上回収取引用の表示画面は、例えば、売上移動金額と確認ボタンとを含む構成になっているものとして説明する。
【００８９】
現金入出金機１は、操作者がその表示画面の内容を確認すると、リサイクルカセット１４，１５，１６又は出金ホッパ２４に収納された現金の中から、高額紙幣を優先して、売上移動金額（すなわち、売上額と既に売上回収カセット１７に収納された現金の金額との差分を売上移動金額）分の現金を回収庫１７，２７に移動させる。これにより、現金入出金機１は、売上金の回収庫１７，２７への移動を行う。
【００９０】
現金入出金機１は、売上金の移動が完了したら、装置の筐体の前面側に設けられたフロント扉９ａ，９ｂ（図１参照）のロック（図示せず）を開錠し、回収庫１７，２７の装置からの脱着を操作者に要請する表示画面を操作表示部５に表示する。「売上回収」取引は、操作者が、装置から売上回収カセット１７を脱着して売上金としての紙幣を回収し、空の売上回収カセット１７を装置に装着するとともに、さらに、硬貨回収庫２７を脱着して売上金としての硬貨を硬貨回収庫２７から袋に詰めかえて回収し、空になった硬貨回収庫２７を装置に装着した時点で、終了となる。
【００９１】
この後、操作者は、脱着した売上回収カセット１７と硬貨が詰められた袋とを警備会社の警送員に引き渡す。警送員は、売上回収カセット１７と袋とを金融機関（ただし、警備会社の場合もある）に移送し、金融機関で売上回収カセット１７と袋とに収納された現金を売上金として入金処理する。なお、ここでは、操作者が回収庫１７，２７を脱着する場合を想定して説明しているが、警備会社の警送員が回収庫１７，２７を脱着することもできる。
【００９２】
このような現金入出金機１は、取引メニューが多いため、メニュー画面を複数の画面に分割するようにしてもよい。この場合に、現金入出金機１は、好ましくは、操作性を考慮して、操作者のＩＤカードに割り当てられた権限毎に、頻度の高い取引メニューキーが最初の画面の中に含まれにように、メニュー画面を構成するとよい。
【００９３】
また、現金入出金機１は、操作者のＩＤカードに割り当てられた権限が特定の取引しか許可されていない場合に、操作性や視認性を考慮して、許可されていない取引メニューキーを削除し、許可されている取引メニューキーのみを拡大して表示するとよい。
【００９４】
また、現金入出金機１は、セキュリティを考慮して、電源オフ中にフロント扉９ａ，９ｂ（図１参照）が開放された場合に、不正な操作があったことを、ポップアップ画面の表示やブザーの放音によって警告するとよい。
【００９５】
（売上回収取引時の動作）
本実施形態１に係る現金入出金機１は、前記した通り、売上回収取引時に、操作者が売上移動金額（すなわち、売上金としてリサイクルカセット１４，１５，１６又は出金ホッパ２４から回収庫１７，２７に移動させる現金の金額）を金種毎に自由に指定することができる構成になっている。以下、図３、図４Ａ及び図４Ｂ、図５、図６、図７Ａ〜図７Ｊ、図８Ａ及び図８Ｂ、並びに、図９Ａ〜図９Ｆを参照して、現金入出金機１の売上回収取引時の動作につき詳細に説明する。
【００９６】
図３、図４Ａ及び図４Ｂ、並びに、図５は、それぞれ、実施形態１に係る現金入出金機の動作を示すフローチャートである。図３は、現金入出金機１の売上回収取引時の全体の動作を示している。図４Ａ及び図４Ｂは、図３に示すＳ１２０の処理の詳細を示している。図５は、図３に示すＳ１４０の処理の詳細を示している。図６は、実施形態１で用いるメニュー画面の一例を示す図である。図７Ａ〜図７Ｊは、それぞれ、実施形態１で用いる表示画面の一例を示す図である。図８Ａは、実施形態１で用いる紙幣エンド障害画面の一例を示す図である。図８Ｂは、実施形態１で用いる復旧中画面の一例を示す図である。図９Ａ〜図９Ｆは、それぞれ、実施形態１で用いる表示画面の一例を示す図である。
【００９７】
なお、現金入出金機１は、図示せぬタイマによって計測された時間に基づいて動作する。また、各データは、記憶部３に読み出し自在に一旦格納されてから、その後の処理を行う所要の構成要素に出力される。以下、これらの点については、情報処理では常套手段であるので、その詳細な説明を省略する。
【００９８】
図３に示すように、現金入出金機１は、操作者が予め登録された図示せぬＩＤカードやレジカードを現金入出金機１のカードリーダ部４（図１参照）にリードさせて、さらに、場合によってはパスワードを入力させることにより、動作を開始する。このとき、現金入出金機１は、操作者の正当性を認証する（Ｓ１０５）。
【００９９】
現金入出金機１は、操作者の正当性を認証すると、メニュー画面ＳＣ１（図６参照）を操作表示部５（図１参照）に表示する（Ｓ１１０）。ここでは、操作者が、メニュー画面ＳＣ１に表示された多数の取引メニューキーの中から「売上回収」ボタン（図６に示す例では、「０８：売上回収」ボタン）を押下したものとして説明する。
【０１００】
なお、メニュー画面ＳＣ１は、その基となる画像データが画面データ５２として記憶部３（図２参照）に格納されている。現金入出金機１は、取引実行部２ｇ（図２参照）が、記憶部３から画像データを読み出して、画像データに基づいてメニュー画面ＳＣ１を作成する。そして、取引実行部２ｇは、メニュー画面ＳＣ１の表示データを表示制御部２ｄ（図２参照）に出力する。これにより、取引実行部２ｇは、表示制御部２ｄを介して、メニュー画面ＳＣ１を操作表示部５に表示する。
【０１０１】
現金入出金機１は、操作者が「売上回収」ボタンを押下すると、その押下を検知し（Ｓ１１５）、売上金を回収するための操作の誘導（以下、「売上金回収操作誘導」と称する）処理を実行する（Ｓ１２０）。Ｓ１２０の「売上金回収操作誘導」処理は、現金入出金機１が、例えば、図７Ａ〜図７Ｊに示す画面ＳＣ２〜ＳＣ１１を、操作者の売上金回収操作を誘導する画面として操作表示部５に表示することによって、行われる。
【０１０２】
なお、図７Ａ〜図７Ｉに示す画面ＳＣ２〜ＳＣ１０は、記憶部３（図２参照）に格納された画面データ５２、有高データ５３、及び、売上データ５４に基づいて作成される。現金入出金機１は、取引実行部２ｇ（図２参照）が、記憶部３から画面データ５２、有高データ５３、及び、売上データ５４を読み出して、これらのデータ５２，５３，５４に基づいて、図７Ａ〜図７Ｉに示す画面ＳＣ２〜ＳＣ１０を作成する。
【０１０３】
画面ＳＣ２〜ＳＣ１０は、それぞれ、操作者の操作を誘導する誘導画像ＳＣＡと、操作者の入力を受け付ける入力画像ＳＣＢとを含む構成となっている。誘導画像ＳＣＡ及び入力画像ＳＣＢの内容は、画面データ５２、有高データ５３、売上データ５４、並びに、操作者によって入力された金額や枚数等の入力データに応じて、各画面ＳＣ２〜ＳＣ１０で、変化する。
【０１０４】
取引実行部２ｇは、画面ＳＣ２〜ＳＣ１０を作成すると、画面ＳＣ２〜ＳＣ１０の表示データを表示制御部２ｄ（図２参照）に出力する。これにより、取引実行部２ｇは、表示制御部２ｄを介して、画面ＳＣ２〜ＳＣ１０の操作表示部５への表示を実行する（以下、同様）。
【０１０５】
なお、図７Ｊに示す画面ＳＣ１１は、メニュー画面ＳＣ１と同様に、その基となる画像データが画面データ５２として記憶部３（図２参照）に格納されている。現金入出金機１は、取引実行部２ｇ（図２参照）が、記憶部３から画像データを読み出して、画像データに基づいて画面ＳＣ１１を作成する。
【０１０６】
図４Ａ及び図４Ｂは、Ｓ１２０の「売上金回収操作誘導」処理の詳細を示している。
図４Ａに示すように、Ｓ１２０の「売上金回収操作誘導」処理では、現金入出金機１は、まず、回収金額確認画面ＳＣ２（図７Ａ参照）を操作表示部５（図１参照）に表示する（Ｓ２０５）。
【０１０７】
回収金額確認画面ＳＣ２（図７Ａ参照）は、売上金として回収する現金の金額の確認を操作者に要請する画面である。図７Ａに示す例では、回収金額確認画面ＳＣ２は、「現在売上高」、「手持汚損金」、「追加金額」、及び、「指定回収金額」の入力欄、並びに、「追加金額」ボタン及び「確認」ボタンを含む構成になっている。「追加金額」ボタンは、追加金額を設定するための画面（図示せず）を呼び出すためのボタンである。
【０１０８】
ここで、「現在売上高」とは、（入金合計−出金合計）を売上額とし、装置にて算出された現在の売上額を意味している。
「手持汚損金」とは、売上入金取引時にリジェクトされた、操作者の手持ちの現金（以下、「手持汚損金」と称する）の金額を意味している。
「追加金額」とは、金融機関や、売上金の輸送を委託された警備会社等の警送会社に返納する釣銭返納額等を意味している。
「指定回収金額」とは、現在売上高と追加金額とを加算した回収金額を意味している。
【０１０９】
操作者は、売上金として回収する現金の金額を変更する場合に、回収金額確認画面ＳＣ２に表示された追加金額ボタンを押下して、追加金額を設定するための画面（図示せず）を呼び出す。そして、操作者は、その画面で追加金額を入力する。このとき、現金入出金機１は、現在売上高と入力された追加金額とを加算して、その合計金額を「指定回収金額」の入力欄に表示する。このようにして、操作者は、売上額に関わらず、所望の売上回収金額を設定することができる。
【０１１０】
Ｓ２０５の後、現金入出金機１は、操作者が回収金額確認画面ＳＣ２の内容を確認して確認ボタンを押下すると、その操作を検知し（Ｓ２１０）、装置外回収金額入力画面ＳＣ３（図７Ｂ参照）を操作表示部５に表示する（Ｓ２１５）。
【０１１１】
装置外回収金額入力画面ＳＣ３（図７Ｂ参照）は、装置外（現金入出金機１の外部）で回収する現金（以下、「装置外回収現金」と称する）の金額を入力するための画面である。図７Ｂに示す例では、装置外回収金額入力画面ＳＣ３は、装置外回収現金の金種別枚数の入力欄、装置外回収現金の合計金額の表示欄、及び、「確認」ボタンを含む構成になっている。なお、金額の入力は、所望の金種別枚数の入力欄を押下し、上昇ボタン又は下降ボタンを押下することによって、行われる（以下、同様）。
【０１１２】
操作者は、装置外回収金額入力画面ＳＣ３が操作表示部５に表示されると、装置外回収金額入力画面ＳＣ３の内容を確認する。このとき、装置外回収現金があれば、操作者は、その金額を入力して確認ボタンを押下する。一方、装置外回収現金がなければ、操作者は、そのまま確認ボタンを押下する。
【０１１３】
Ｓ２１５の後、現金入出金機１は、操作者が装置外回収現金の金額を入力して確認ボタンを押下するか、又は、操作者が確認ボタンのみを押下すると、その操作を検知し（Ｓ２２０）、装置外回収金額確認画面ＳＣ４（図７Ｃ参照）を操作表示部５に表示する（Ｓ２２５）。
【０１１４】
装置外回収金額確認画面ＳＣ４（図７Ｃ参照）は、装置外回収金額入力画面ＳＣ３（図７Ｂ参照）で入力された装置外回収現金の金額の確認を操作者に要請する画面である。図７Ｃに示す例では、装置外回収金額確認画面ＳＣ４は、装置外回収現金の金種別枚数の表示欄、装置外回収現金の合計金額の表示欄、及び、「確認」ボタンを含む構成になっている。ここでは、装置外回収現金があり、操作者がその金額を入力した結果、図７Ｃに示す合計金額が表示されているものとして説明する。
【０１１５】
Ｓ２２５の後、現金入出金機１は、操作者が確認ボタンを押下すると、その操作を検知し（Ｓ２３０）、手持汚損金枚数入力画面ＳＣ５（図７Ｄ参照）を操作表示部５に表示する（Ｓ２３５）。
【０１１６】
手持汚損金枚数入力画面ＳＣ５（図７Ｄ参照）は、手持汚損金（すなわち、売上入金取引時にリジェクトされた、操作者の手持ちの現金）の枚数を金種毎に入力するための画面である。図７Ｄに示す例では、手持汚損金枚数入力画面ＳＣ５は、手持汚損金の金種別枚数の入力欄、汚損金の金額を表す汚損額の表示欄、手持汚損金の合計金額の表示欄、及び、「確認」ボタンを含む構成になっている。
【０１１７】
操作者は、手持汚損金枚数入力画面ＳＣ５が操作表示部５に表示されると、手持汚損金枚数入力画面ＳＣ５の内容を確認する。このとき、手持汚損金があれば、操作者は、その枚数（以下、「手持汚損金枚数」と称する）を入力して確認ボタンを押下する。一方、手持汚損金がなければ、操作者は、そのまま確認ボタンを押下する。
【０１１８】
Ｓ２３５の後、現金入出金機１は、操作者が手持汚損金枚数を入力して確認ボタンを押下するか、又は、操作者が確認ボタンのみを押下すると、その操作を検知し（Ｓ２４０）、手持汚損金金額確認画面ＳＣ６（図７Ｅ参照）を操作表示部５に表示する（Ｓ２４５）。
【０１１９】
手持汚損金金額確認画面ＳＣ６（図７Ｅ参照）は、手持汚損金金額確認画面ＳＣ６（図７Ｅ参照）で入力された枚数に基づく手持汚損金の合計金額の確認を操作者に要請する画面である。図７Ｅに示す例では、手持汚損金金額確認画面ＳＣ６は、手持汚損金の金種別枚数の表示欄、手持汚損金の合計金額の表示欄、及び、「確認」ボタンを含む構成になっている。
【０１２０】
Ｓ２４５の後、現金入出金機１は、操作者が確認ボタンを押下すると、その操作を検知し（Ｓ２５０）、回収金額確認画面ＳＣ７（図７Ｆ参照）を操作表示部５に表示して（Ｓ２５５）、投入口１１，２１（図１参照）の図示せぬシャッタを開放する（Ｓ２６０）。この後、処理は、「Ａ１」を介して、図４Ｂに示すＳ２６５に進む。
【０１２１】
回収金額確認画面ＳＣ７（図７Ｆ参照）は、回収金額の確認を操作者に要請する画面である。図７Ｆに示す例では、回収金額確認画面ＳＣ７は、「回収予定額」、「手持汚損金」、「装置外回収現金」、「交換済現金」、「収納済現金」、及び、「入金可能額」の各表示欄、並びに、「現金なし」ボタンを含む構成になっている。
【０１２２】
ここで、「回収予定額」とは、売上金として回収庫１７，２７に収納させる現金（以下、「回収現金」と称する）の予定の金額を意味している。
「交換済現金」とは、「収納済現金」により売上回収カセットがフルになり、空のカセットと交換した場合に抜き取ったカセットに入っていた売上金、すなわち回収済みの現金を意味している。
「収納済現金」とは、過去に行われた売上入金取引時に、売上金として既に売上回収カセット１７に収納された現金を意味している。
【０１２３】
「入金可能額」とは、売上金として回収庫１７，２７に収納させることが可能な現金の金額を意味している。現金入出金機１は、入金可能額の範囲内で、現金をリサイクルカセット１４，１５，１６又は出金ホッパ２４から回収庫１７，２７に移動させることができる。なお、操作者は、レジスタでの余剰金を投入口１１，２１（図１参照）から投入することによって、投入された現金を売上金として回収庫１７，２７に収納させることもできる。
「現金なし」ボタンとは、手元に売上金として投入したい現金がないことを現金入出金機１に知らせるためのボタンである。
【０１２４】
手元に売上金として投入したい現金があれば、操作者は、その現金を投入口１１，２１（図１参照）に投入する。この場合に、現金入出金機１は、現金の投入を検知して、投入された現金を鑑別及び計数して、投入金額を算出し、その投入金額を、Ｓ２７０で操作表示部５に表示させる売上移動金額確認画面ＳＣ８（図７Ｇ参照）に反映させる。
【０１２５】
一方、手元に売上金として投入したい現金がなければ、操作者は、回収金額確認画面ＳＣ７に表示された「現金なし」ボタンを押下する。この場合に、現金入出金機１は、回収金額確認画面ＳＣ７（図７Ｆ参照）に基づいて、Ｓ２７０で操作表示部５に表示させる売上移動金額確認画面ＳＣ８（図７Ｇ参照）を作成する。
【０１２６】
Ｓ２６０の後、現金入出金機１は、現金の投入口１１，２１（図１参照）への投入を監視し、現金が投入口１１，２１に投入されたか否かを判定する（Ｓ２６５）。
【０１２７】
Ｓ２６５の判定で、現金が投入されたと判定された場合（“Ｙｅｓ”の場合）に、現金入出金機１は、シャッタを閉鎖し、さらに、投入された現金を鑑別及び計数して（Ｓ２６６）、投入金額を算出する。次に、現金入出金機１は、回収金額確認画面ＳＣ７（図７Ｆ参照）に表示された「入金可能金額」から「投入金額」を減算した値を売上移動金額とし、その売上移動金額を算出する（Ｓ２６７）。なお、ここでは、「売上移動金額」とは、売上金としてリサイクルカセット１４，１５，１６又は出金ホッパ２４から回収庫１７，２７に移動させる現金の金額を意味している。
【０１２８】
一方、Ｓ２６５の判定で、現金が投入されていないと判定された場合（“Ｎｏ”の場合）に、現金入出金機１は、「現金なし」ボタンの押下が検知されたか否かを判定する（Ｓ２６８）。
【０１２９】
Ｓ２６８の判定で、「現金なし」ボタンの押下が検知されていないと判定された場合（“Ｎｏ”の場合）に、処理は、Ｓ２６５に戻る。その結果、現金入出金機１は、処理時間が一定時間以上経過するまで、Ｓ２６５〜Ｓ２６８の処理を繰り返し、処理時間が一定時間以上経過すると、画面表示をメニュー画面ＳＣ１（図６参照）に戻す。
【０１３０】
一方、Ｓ２６８の判定で、「現金なし」ボタンの押下が検知されたと判定された場合（“Ｙｅｓ”の場合）に、現金入出金機１は、シャッタを閉鎖し、さらに、回収金額確認画面ＳＣ７（図７Ｆ参照）に表示された「入金可能金額」を売上移動金額とし、その売上移動金額を算出する（Ｓ２６９）。
【０１３１】
現金入出金機１は、Ｓ２６７又はＳ２６９で移動金額を算出すると、Ｓ２６７又はＳ２６９で算出された移動金額を含む、売上移動金額確認画面ＳＣ８（図７Ｇ参照）を操作表示部５に表示する（Ｓ２７０）。
【０１３２】
売上移動金額確認画面ＳＣ８（図７Ｇ参照）は、売上移動金額（すなわち、売上金としてリサイクルカセット１４，１５，１６又は出金ホッパ２４から回収庫１７，２７に移動させる現金の金額）の確認を操作者に要請する画面である。図７Ｇに示す例では、売上移動金額確認画面ＳＣ８は、投入金額の表示欄、売上移動金額の表示欄、「確認」ボタン、及び、「追加投入」ボタンを含む構成になっている。
【０１３３】
なお、図７Ｇに示す例では、操作者が「１４，０００円」の現金を投入した結果、図７Ｆに示す「入金可能金額（１，８１４，０００５円）」から「投入金額（１４，０００円）」が減算された値（１，８００，０００５円）が、移動金額として、表示されている。
【０１３４】
Ｓ２７０の後、現金入出金機１は、操作者が確認ボタンを押下すると、その操作を検知し（Ｓ２７５）、売上移動枚数入力画面ＳＣ９（図７Ｈ参照）を操作表示部５に表示する（Ｓ２８０）。
【０１３５】
売上移動枚数入力画面ＳＣ９（図７Ｈ参照）は、売上移動金額の金種別枚数を入力させるための画面である。売上移動枚数入力画面ＳＣ９は、特許請求の範囲に記載された「入力画面」に相当する。図７Ｈに示す例では、売上移動枚数入力画面ＳＣ９は、金種別装置内有高の表示欄、売上移動金額の金種別枚数の入力欄、Ｓ２６７又はＳ２６９で現金入出金機１によって算出された売上移動金額の表示欄、操作者によって入力された売上移動金額の合計金額の表示欄、及び、「確認」ボタンを含む構成になっている。
【０１３６】
ここで、「金種別装置内有高の表示欄」とは、リサイクルカセット１４，１５，１６及び出金ホッパ２４に収納された、釣銭準備金として出金可能な現金の金種別の有高を表示する欄を意味している。また、「売上移動金額の金種別枚数の入力欄」とは、売上移動金額として指定することが可能な現金の金種別の枚数を入力する欄を意味している。
【０１３７】
「売上移動金額の金種別枚数の入力欄」は、金種別装置内有高の表示欄に表示された各金種の値を上限値とし、それ以下の値を入力することができる設定になっている。このような現金入出金機１は、後記するように、売上移動金額の金種別枚数に対して、任意のマージンを持たせて設定することができる。これにより、現金入出金機１は、仮に、売上回収取引で、数枚のリジェクトされた現金が発生した場合であっても、紙幣エンドの障害が発生した状態になって、売上移動金額として指定された金額に相当する枚数（以下、「回収予定枚数」と称する）が回収できなくなるのを抑制することができる。
【０１３８】
操作者は、売上移動枚数入力画面ＳＣ９に表示された金種別装置内有高の範囲内で、売上金の回収金として装置から回収する（抜き取る）現金の金種別枚数を、売上移動金額の金種別枚数の入力欄に入力する。以下、売上移動金額の金種別枚数の入力欄に入力された金種別枚数を「回収金種別枚数」と称する。
【０１３９】
Ｓ２８０の後、現金入出金機１は、操作者が回収金種別枚数を入力して確認ボタンを押下すると、その操作を検知し（Ｓ２８５）、回収金種枚数確認画面ＳＣ１０（図７Ｉ参照）を操作表示部５に表示する（Ｓ２９０）。
【０１４０】
回収金種枚数確認画面ＳＣ１０（図７Ｉ参照）は、売上移動枚数入力画面ＳＣ９で指定された回収金種別枚数の確認を操作者に要請する画面である。図７Ｉに示す例では、回収金種枚数確認画面ＳＣ１０は、回収金種別枚数の表示欄、売上移動金額の表示欄、及び、「確認」ボタンを含む構成になっている。
【０１４１】
Ｓ２９０の後、現金入出金機１は、操作者が確認ボタンを押下すると、その操作を検知し（Ｓ２９５）、移動中画面ＳＣ１１（図７Ｊ参照）を操作表示部５に表示する（Ｓ３０）。
【０１４２】
移動中画面ＳＣ１１（図７Ｊ参照）は、売上金の回収金としての現金をリサイクルカセット１４，１５，１６又は出金ホッパ２４から回収庫１７，２７に移動していることを操作者に通知するための画面である。
【０１４３】
Ｓ３００の後、処理は、図３に示すＳ１２５に進む。その結果、現金入出金機１は、図３に示すように、売上金の回収金としての現金の回収（すなわち、リサイクルカセット１４，１５，１６又は出金ホッパ２４から回収庫１７，２７への移動）を実行する（Ｓ１２５）。
【０１４４】
現金入出金機１は、売上金の回収金としての現金の回収を開始すると、現金の回収動作を監視し、紙幣エンドの障害が発生したか否かを判定する（Ｓ１３０）。
Ｓ１３０の判定で、紙幣エンドの障害が発生したと判定された場合（“Ｙｅｓ”の場合）に、現金入出金機１は、紙幣エンド障害画面ＳＣ１２（図８Ａ参照）を表示する（Ｓ１３１）。
【０１４５】
紙幣エンド障害画面ＳＣ１２（図８Ａ参照）は、装置内部の有高が不足していることを操作者に通知するための画面である。紙幣エンド障害画面ＳＣ１２は、メニュー画面ＳＣ１と同様に、その基となる画像データが画面データ５２として記憶部３（図２参照）に格納されている。現金入出金機１は、取引実行部２ｇ（図２参照）が、記憶部３から画像データを読み出して、画像データに基づいて紙幣エンド障害画面ＳＣ１２を作成する。図８Ａに示す例では、紙幣エンド障害画面ＳＣ１２は、装置内部の有高が不足していることを操作者に通知するメッセージ、及び、「復旧」ボタンを含む構成になっている。「復旧」ボタンは、現金入出金機１に復旧処理の実行を指示するためのボタンである。
【０１４６】
Ｓ１３１の後、現金入出金機１は、操作者が紙幣エンド障害画面ＳＣ１２の内容を確認して復旧ボタンを押下すると、その操作を検知し（Ｓ１３２）、復旧中画面ＳＣ１３（図８Ｂ参照）を操作表示部５に表示して（Ｓ１３３）、復旧処理を実行する（Ｓ１３４）。
【０１４７】
復旧中画面ＳＣ１３（図８Ｂ参照）は、復旧処理中であることを操作者に通知するための画面である。復旧中画面ＳＣ１３は、メニュー画面ＳＣ１と同様に、その基となる画像データが画面データ５２として記憶部３（図２参照）に格納されている。現金入出金機１は、取引実行部２ｇ（図２参照）が、記憶部３から画像データを読み出して、画像データに基づいて復旧中画面ＳＣ１３を作成する。
【０１４８】
現金入出金機１は、復旧処理を実行している間、復旧中画面ＳＣ１３を操作表示部５に表示する。復旧処理が完了すると、処理は、Ｓ１１０に戻る。その結果、現金入出金機１は、メニュー画面ＳＣ１（図６参照）を操作表示部５に表示する。そして、現金入出金機１は、Ｓ１１０以降の処理を再度実行する。
【０１４９】
一方、Ｓ１３０の判定で、紙幣エンドの障害が発生していないと判定された場合（“Ｎｏ”の場合）に、現金入出金機１は、売上金を装置から抜き取るための操作の誘導（以下、「売上金抜取操作誘導」と称する）処理を実行する（Ｓ１４０）。Ｓ１４０の「売上金抜取操作誘導」処理は、現金入出金機１が、例えば、図９Ａ〜図９Ｆに示す画面ＳＣ１４〜ＳＣ１９を、操作者の売上金抜取操作誘導を誘導する画面として操作表示部５に表示することによって、行われる。
【０１５０】
なお、図９Ａ〜図９Ｆに示す画面ＳＣ１４〜ＳＣ１９は、それぞれ、メニュー画面ＳＣ１と同様に、その基となる画像データが画面データ５２として記憶部３（図２参照）に格納されている。現金入出金機１は、取引実行部２ｇ（図２参照）が、記憶部３から画像データを読み出して、画像データに基づいて各画面ＳＣ１４〜ＳＣ１９を作成する。
【０１５１】
図５は、Ｓ１４０の「売上金抜取操作誘導」処理の詳細を示している。
図５に示すように、Ｓ１４０の「売上金抜取操作誘導」処理では、現金入出金機１は、まず、硬貨部フロント扉開放誘導画面ＳＣ１４（図９Ａ参照）を操作表示部５（図１参照）に表示する（Ｓ３０５）。
【０１５２】
硬貨部フロント扉開放誘導画面ＳＣ１４（図９Ａ参照）は、硬貨部フロント扉９ｂの開放を操作者に要請する画面である。操作者は、硬貨部フロント扉開放誘導画面ＳＣ１４に従って、扉９ｂを開放する。
【０１５３】
現金入出金機１は、常に、扉９ｂの開放及び閉鎖を監視している。現金入出金機１は、操作者が扉９ｂを開放すると、扉９ｂの開放を検知し（Ｓ３１０）、硬貨回収庫抜取誘導画面ＳＣ１５（図９Ｂ参照）を操作表示部５に表示する（Ｓ３１５）。
【０１５４】
硬貨回収庫抜取誘導画面ＳＣ１５（図９Ｂ参照）は、硬貨回収庫２７を装置から脱着することを操作者に要請する画面である。操作者は、硬貨回収庫抜取誘導画面ＳＣ１５に従って、硬貨回収庫２７を装置から脱着する。そして、操作者は、例えば、売上金としての硬貨を硬貨回収庫２７から袋に詰めかえることにより、売上金としての硬貨を回収し、さらに、空になった硬貨回収庫２７を装置に装着する。
【０１５５】
現金入出金機１は、常に、硬貨回収庫２７の装置からの脱着及び装置への装着を監視している。現金入出金機１は、操作者が硬貨回収庫２７を装置に装着すると、硬貨回収庫２７の装着を検知し、これにより、売上金としての硬貨の装置からの抜き取りが完了したことを検知する（Ｓ３２０）。この後、現金入出金機１は、硬貨部フロント扉閉鎖誘導画面ＳＣ１６（図９Ｃ参照）を操作表示部５に表示する（Ｓ３２５）。
【０１５６】
硬貨部フロント扉閉鎖誘導画面ＳＣ１６（図９Ｃ参照）は、硬貨部フロント扉９ｂの閉鎖を操作者に要請する画面である。操作者は、硬貨部フロント扉閉鎖誘導画面ＳＣ１６に従って、扉９ｂを閉鎖する。
【０１５７】
現金入出金機１は、操作者が扉９ｂを閉鎖すると、扉９ｂの閉鎖を検知する（Ｓ３３０）。この後、紙幣部フロント扉開放誘導画面ＳＣ１７（図９Ｄ参照）を操作表示部５に表示する（Ｓ３３５）。
【０１５８】
紙幣部フロント扉開放誘導画面ＳＣ１７（図９Ｄ参照）は、紙幣部フロント扉９ａの開放を操作者に要請する画面である。操作者は、紙幣部フロント扉開放誘導画面ＳＣ１７に従って、扉９ａを開放する。
【０１５９】
現金入出金機１は、常に、扉９ａの開放及び閉鎖を監視している。現金入出金機１は、操作者が扉９ａを開放すると、扉９ａの開放を検知し（Ｓ３４０）、売上回収カセット抜取誘導画面ＳＣ１８（図９Ｅ参照）を操作表示部５に表示する（Ｓ３４５）。
【０１６０】
売上回収カセット抜取誘導画面ＳＣ１８（図９Ｅ参照）は、売上回収カセット１７を装置から脱着することを操作者に要請する画面である。操作者は、売上回収カセット抜取誘導画面ＳＣ１８に従って、売上回収カセット１７を装置から脱着することにより、売上金としての紙幣を回収し、代わりに、空の売上回収カセット１７を装置に装着する。
【０１６１】
現金入出金機１は、常に、売上回収カセット１７の装置からの脱着及び装置への装着を監視している。現金入出金機１は、操作者が売上回収カセット１７を装置に装着すると、売上回収カセット１７の装着を検知し、これにより、売上金としての紙幣の装置からの抜き取りが完了したことを検知する（Ｓ３５０）。この後、現金入出金機１は、紙幣部フロント扉閉鎖誘導画面ＳＣ１９（図９Ｆ参照）を操作表示部５に表示する（Ｓ３２５）。
【０１６２】
紙幣部フロント扉閉鎖誘導画面ＳＣ１９（図９Ｆ参照）は、紙幣部フロント扉９ａの閉鎖を操作者に要請する画面である。操作者は、紙幣部フロント扉閉鎖誘導画面ＳＣ１９に従って、扉９ａを閉鎖する。
【０１６３】
現金入出金機１は、操作者が扉９ａを閉鎖すると、扉９ａの閉鎖を検知する（Ｓ３６０）。この後、現金入出金機１は、復旧中画面ＳＣ１３（図８Ｂ参照）を操作表示部５に表示して（Ｓ３６５）、復旧処理を実行する（Ｓ３７０）。
【０１６４】
Ｓ３７０の後、処理は、図３に示すＳ１４５に進む。その結果、現金入出金機１は、図３に示すように、メニュー画面ＳＣ１（図６参照）を操作表示部５に表示する（Ｓ１４５）。これにより、図３に示す一連のルーチンの動作が終了する。
【０１６５】
このような現金入出金機１は、売上金回収取引時に、操作者が売上移動金額（すなわち、売上金としてリサイクルカセット１４，１５，１６又は出金ホッパ２４から回収庫１７，２７に移動させる現金の金額）を金種毎に自由に指定することができる。そのため、現金入出金機１は、優先順位の低い金種の現金が、回収庫１７，２７に移動されずに、装置の内部に大量に溜まるのを抑制することができる。
【０１６６】
これにより、現金入出金機１は、復旧処理を行う頻度を低減させることができる。そのため、現金入出金機１は、煩わしい手間がかかる頻度を低減させることができるとともに、復旧処理及び２回目の売上回収取引を行うための時間を低減させることができる。その結果、現金入出金機１は、操作者の負担を軽減することができ、また、時間のロスが発生しないため、作業効率を向上させることができる。
【０１６７】
なお、現金入出金機１は、売上移動枚数入力画面ＳＣ９（図７Ｈ参照）で売上移動枚数を入力する場合に、金種毎に装置内有高の全額が移動しないように、売上移動金額の金種別枚数に対して、任意のマージンを持たせて設定することができる。例えば、図７Ｈは、一万円券の装置内有高が１９０枚のところ、売上移動金額に対するマージンを１０枚とし、売上移動枚数を１８０枚に設定する例を示している。
【０１６８】
現金入出金機１は、このように、売上移動枚数入力画面ＳＣ９（図７Ｈ参照）で売上移動枚数を入力する場合に、売上移動金額の金種別枚数に対して、任意のマージンを持たせて設定することにより、仮に、売上回収取引で、数枚のリジェクトされた現金が発生した場合であっても、紙幣エンドの障害が発生した状態になって、回収予定枚数が回収できなくなるのを抑制することができる。
【０１６９】
なお、売上移動枚数に対するマージンは、任意の値に適宜設定することができる。例えば、一万円券の装置内有高が１９０万円となっている図７Ｈに示す例で、１９０万円分の現金を移動させたい場合に、操作者は、一万円券の売上移動枚数に対するマージンを１０枚とし、移動金額が１９０万円になるように、一万円券の売上移動枚数を１８０枚に設定し、その代わりに、五千円券の売上移動枚数を２０枚に設定することができる。
【０１７０】
以上の通り、本実施形態１に係る現金入出金機１によれば、売上金回収取引時に、操作者が売上移動金額（すなわち、売上金としてリサイクルカセット１４，１５，１６又は出金ホッパ２４から回収庫１７，２７に移動させる現金の金額）を金種毎に自由に指定することができる。そのため、現金入出金機１によれば、優先順位の低い金種の現金が、回収庫１７，２７に移動されずに、装置の内部に大量に溜まるのを抑制することができる。その結果、現金入出金機１Ｂによれば、操作者の負担を軽減することができ、また、時間のロスが発生しないため、作業効率を向上させることができる。さらに、現金入出金機１Ｂによれば、装置が異常となったという誤解を防ぐことができる。
【０１７１】
［実施形態２］
実施形態１に係る現金入出金機１は、売上移動枚数入力画面ＳＣ９（図７Ｈ参照）で、売上移動枚数として、リサイクルカセット１４，１５，１６のいずれかに収納された現金の全枚数を入力した場合に、１枚でもリジェクトされた現金が発生すると、紙幣エンドの障害が発生した状態になって、回収予定枚数が回収できなくなる。特に、一万円券等は、釣銭として使用しないため、全てを売上金として回収したい場合がある。そのため、実施形態１に係る現金入出金機１は、装置が障害の発生した状態になる可能性がある。
【０１７２】
そこで、実施形態１に係る現金入出金機１は、売上移動枚数入力画面ＳＣ９（図７Ｈ参照）で売上移動枚数を入力する場合に、金種毎に装置内有高の全額が移動しないように、売上移動金額の金種別枚数に対して、任意のマージンを持たせて設定することができる構成になっている。そして、実施形態１に係る現金入出金機１は、売上移動金額の金種別枚数に対して任意のマージンを持たせて設定することにより、仮に、売上回収取引で、数枚のリジェクトされた現金が発生した場合であっても、紙幣エンドの障害が発生した状態になって、回収予定枚数が回収できなくなるのを抑制している。
【０１７３】
しかしながら、実施形態１に係る現金入出金機１は、仮に、売上回収取引で、リジェクトされた現金が売上移動金額の金種別枚数に対して設定されたマージンを超えて発生した場合に、紙幣エンドの障害が発生する。
【０１７４】
これに対して、本実施形態２は、仮に、売上回収取引で、リジェクトされた現金が売上移動金額の金種別枚数に対して設定されたマージンを超えて発生した場合であっても、その状態を紙幣エンドの障害が発生した状態として処理せずに、不足金額分を継続して回収することができる現金入出金機１Ｂ（図示せず）を提供するものである。
【０１７５】
例えば、現金入出金機１Ｂは、仮に、売上回収取引で、リジェクトされた現金が売上移動金額の金種別枚数に対して設定されたマージンを超えて発生した場合に、売上回収が完了しない旨のメッセージ画面（例えば、図１２に示す紙幣エンドワーニング画面ＳＣ２０）を操作表示部５に表示し、その後に、画面の表示を、売上移動金額の金種別枚数を入力させるための画面（例えば、図１３Ａに示す売上移動枚数入力画面ＳＣ９）に遷移させて、再度、売上移動金額の金種別枚数を入力させる。これにより、現金入出金機１Ｂは、同一の売上回収取引内で、売上移動金額の不足金額分を回収して、売上金の回収を完了させる。
【０１７６】
以下、図１０、並びに、図１１Ａ及び図１１Ｂを参照して、本実施形態２に係る現金入出金機１Ｂ（図示せず）の動作について、実施形態１に係る現金入出金機１と相違する動作を重点的に説明し、実施形態１に係る現金入出金機１と同様の動作（図３、並びに、図４Ａ及び図４Ｂ参照）については、前記した実施形態１に係る現金入出金機１の動作を本実施形態２に係る現金入出金機１Ｂの動作に読み替えるものとして、詳細な説明を省略する。
【０１７７】
図１０、並びに、図１１Ａ及び図１１Ｂに示すように、本実施形態２に係る現金入出金機１Ｂ（図示せず）の動作は、実施形態１に係る現金入出金機１の動作（図３、並びに、図４Ａ及び図４Ｂ参照）と比較すると、実施形態１に係る現金入出金機１が、図３に示すＳ１３１〜Ｓ１３４の処理を行い、その後に、Ｓ１１０以降の処理を行っているのに対し、図１０に示すＳ１３１ｂ及びＳ１３２ｂの処理を行い、その後に、図１１Ｂに示すＳ２８０以降の処理を行う点で、相違している。
【０１７８】
なお、図１１Ａ及び図１１Ｂに示す本実施形態２に係る処理は、図４Ａ及び図４Ｂに示す実施形態１に係る処理と同じものであり、図３又は図１０に示すＳ１２０の処理（「売上金回収操作誘導」処理）のサブルーチンを表している。
【０１７９】
具体的には、本実施形態２に係る現金入出金機１Ｂ（図示せず）は、図１０に示すように、Ｓ１３０の判定で、紙幣エンドの障害が発生したと判定された場合（“Ｙｅｓ”の場合）に、紙幣エンドワーニング画面ＳＣ２０（図１２参照）を表示する（Ｓ１３１ａ）。
【０１８０】
紙幣エンドワーニング画面ＳＣ２０（図１２参照）は、回収予定枚数（すなわち、売上移動金額として指定された金額に相当する枚数）に対して、リサイクルカセット１４，１５，１６及び出金ホッパ２４に収納された現金の枚数が不足していることを操作者に通知するための画面である。図１２に示す例では、紙幣エンドワーニング画面ＳＣ２０は、現金の枚数が不足していることを操作者に通知するメッセージ、及び、「確認」ボタンを含む構成になっている。
【０１８１】
Ｓ１３１ａの後、現金入出金機１Ｂは、操作者が紙幣エンドワーニング画面ＳＣ２０の内容を確認して確認ボタンを押下すると、その操作を検知する（Ｓ１３２ｂ）。この後、処理は、「Ｂ１」を介して、図１１Ｂに示すＳ２８０に戻る。その結果、現金入出金機１Ｂは、Ｓ２８０以降の処理を再度実行する。
【０１８２】
その際に、現金入出金機１Ｂは、Ｓ２８０の処理（「売上移動枚数入力画面表示」処理）の実行で、例えば、図１３Ａに示す売上移動枚数入力画面ＳＣ９ｂを操作表示部５に表示する。また、現金入出金機１Ｂは、Ｓ２９０の処理（「回収金種別枚数確認画面表示」処理）の実行で、例えば、図１３Ｂに示す回収金種別枚数確認画面ＳＣ１０ｂを操作表示部５に表示する。
【０１８３】
売上移動枚数入力画面ＳＣ９ｂ（図１３Ａ参照）は、図７Ｈに示す売上移動枚数入力画面ＳＣ９に対し、売上移動枚数の不足金額分を表す情報を反映させた画面である。ここで、「売上移動枚数の不足金額」とは、図１０に示すＳ１２５の処理（「売上金回収（移動）実行」処理）でリジェクトされた現金の金額を意味している。図１３Ａは、不足金額として「２０，０００円」が「移動額」の表示欄に表示されており、その不足金額に対して、売上移動枚数として五千円券で４枚を指定した例を示している。
回収金種別枚数確認画面ＳＣ１０ｂ（図１３Ｂ参照）は、売上移動枚数入力画面ＳＣ９ｂで指定された回収金種別枚数の確認を操作者に要請する画面である。
【０１８４】
例えば、現金入出金機１Ｂは、売上回収取引時に、図６及び図７Ａ〜図７Ｊに示す画面ＳＣ１〜ＳＣ１１まで、実施形態１に係る現金入出金機１と同様に、画面の表示を遷移させる。しかしながら、現金入出金機１Ｂは、仮に、リジェクトされた現金が売上移動金額の金種別枚数に対して設定されたマージンを超えて発生した場合に、図８Ａに示す紙幣エンド障害画面ＳＣ１２を表示せずに、図１２に示す紙幣エンドワーニング画面ＳＣ２０を表示する。
【０１８５】
そして、現金入出金機１Ｂは、操作者が紙幣エンドワーニング画面ＳＣ２０の内容を確認して確認ボタンを押下すると、Ｓ２８０の処理（「売上移動枚数入力画面表示」処理）を実行する。その際に、現金入出金機１Ｂは、売上移動枚数入力画面ＳＣ９ｂ（図１３Ａ参照）を操作表示部５に表示する。操作者は、売上移動枚数入力画面ＳＣ９ｂの内容を確認して、売上移動枚数入力画面ＳＣ９ｂで、不足金額分に相当する売上移動枚数として、リジェクトされた現金以外の他金種の現金の枚数（以下、単に「不足金額分に相当する枚数」と称する）を入力する。
【０１８６】
この後、現金入出金機１Ｂは、操作者が売上移動枚数入力画面ＳＣ９ｂで不足金額分に相当する枚数を入力すると、Ｓ２９０の処理（「回収金種別枚数確認画面表示」処理）を実行する。その際に、現金入出金機１Ｂは、回収金種別枚数確認画面ＳＣ１０ｂ（図１３Ｂ参照）を操作表示部５に表示する。
【０１８７】
このような現金入出金機１Ｂは、仮に、売上回収取引で、数枚のリジェクトされた現金が発生した場合であっても、その状態を紙幣エンドの障害が発生した状態として処理せずに、不足金額分を継続して回収することができる。そのため、現金入出金機１Ｂは、同一の売上回収取引内で、売上移動金額の不足金額分を回収して、売上金の回収を完了させることができる。
【０１８８】
これにより、現金入出金機１Ｂは、復旧処理を行う頻度を低減させることができる。そのため、現金入出金機１Ｂは、煩わしい手間がかかる頻度を低減させることができるとともに、復旧処理及び２回目の売上回収取引を行うための時間を低減させることができる。その結果、現金入出金機１Ｂは、操作者の負担を軽減することができ、また、時間のロスが発生しないため、作業効率を向上させることができる。
【０１８９】
また、現金入出金機１Ｂは、紙幣エンドの障害が発生する頻度を抑制することができるため、ハードウェアが故障してないのに、あたかも装置が故障又は誤動作したかのような誤解を操作者に与えるのを回避することができる。
【０１９０】
以上の通り、本実施形態２に係る現金入出金機１Ｂ（図示せず）によれば、実施形態１に係る現金入出金機１と同様に、優先順位の低い金種の現金が、回収庫１７，２７に移動されずに、装置の内部に大量に溜まるのを抑制することができる。その結果、現金入出金機１Ｂによれば、操作者の負担を軽減することができ、また、時間のロスが発生しないため、作業効率を向上させることができる。さらに、現金入出金機１Ｂによれば、装置が異常となったという誤解を防ぐことができる。
【０１９１】
しかも、本実施形態２に係る現金入出金機１Ｂによれば、実施形態１に係る現金入出金機１に比べて、仮に、売上回収取引で、数枚のリジェクトされた現金が発生した場合であっても、その状態を紙幣エンドの障害が発生した状態として処理せずに、不足金額分を継続して回収することができる。そのため、現金入出金機１Ｂによれば、同一の売上回収取引内で、売上移動金額の不足金額分を回収して、売上金の回収を完了させることができる。
【０１９２】
本発明は、前記した実施形態に限定されることなく、本発明の要旨を逸脱しない範囲で種々の変更や変形を行うことができる。
例えば、現金入出金機１は、他の装置と組み合わせることによって、商用施設等で使用されている、釣銭や売上金を管理する現金管理システムに適用可能である。
また、例えば、売上回収カセット１７は、紙幣だけでなく、売上金としての硬貨を収納する構成にしてもよい。
また、例えば、図１３Ａに示す売上移動枚数入力画面ＳＣ９では、リジェクトされた紙幣の枚数や、既に売上回収カセット１７に移動された紙幣の枚数等が表示されていない。しかしながら、現金入出金機１は、運用に応じて、これらの枚数を表示するようにしてもよい。
【符号の説明】
【０１９３】
１    現金入出金機
２    制御部
２ａ    主制御部
２ｂ    搬送・鑑別制御部
２ｃ    入力制御部
２ｄ    表示制御部
２ｅ    通信制御部
２ｆ    有高管理部
２ｇ    取引実行部
２ｈ    復旧実行部
２ｉ    扉監視部
２ｊ    抜取監視部
３    記憶部
４    カードリーダ部
５    操作表示部
６    搬送部
７    通信部
８ａ    紙幣部
８ｂ    硬貨部
９ａ    紙幣部フロント扉
９ｂ    硬貨部フロント扉
１１    紙幣投入口
１２    紙幣一時保留部
１３    紙幣鑑別部
１４    万円券カセット
１５    五千円券カセット
１６    千円券カセット
１７    売上回収カセット
１８    リジェクト部
２１    硬貨投入口
２２    硬貨一時保留部
２３    硬貨鑑別部
２４    出金ホッパ
２５    硬貨出金箱
２７    硬貨回収庫
２８    硬貨返却箱
５１    制御プログラム
５２    画面データ
５３    有高データ
５４    売上データ
【図１】
0005935497.tif 000002
【図２】
0005935497.tif 000003
【図３】
0005935497.tif 000004
【図４Ａ】
0005935497.tif 000005
【図４Ｂ】
0005935497.tif 000006
【図５】
0005935497.tif 000007
【図６】
0005935497.tif 000008
【図７Ａ】
0005935497.tif 000009
【図７Ｂ】
0005935497.tif 000010
【図７Ｃ】
0005935497.tif 000011
【図７Ｄ】
0005935497.tif 000012
【図７Ｅ】
0005935497.tif 000013
【図７Ｆ】
0005935497.tif 000014
【図７Ｇ】
0005935497.tif 000015
【図７Ｈ】
0005935497.tif 000016
【図７Ｉ】
0005935497.tif 000017
【図７Ｊ】
0005935497.tif 000018
【図８Ａ】
0005935497.tif 000019
【図８Ｂ】
0005935497.tif 000020
【図９Ａ】
0005935497.tif 000021
【図９Ｂ】
0005935497.tif 000022
【図９Ｃ】
0005935497.tif 000023
【図９Ｄ】
0005935497.tif 000024
【図９Ｅ】
0005935497.tif 000025
【図９Ｆ】
0005935497.tif 000026
【図１０】
0005935497.tif 000027
【図１１Ａ】
0005935497.tif 000028
【図１１Ｂ】
0005935497.tif 000029
【図１２】
0005935497.tif 000030
【図１３Ａ】
0005935497.tif 000031
【図１３Ｂ】
0005935497.tif 000032